(57)【要約】【課題】弾撥力受承部を形成する以外に、乗り上げ係止部も形成しているため、その形成のための工程が増え、又、その係止部にコイルスプリングを押し広げながら係止させるため、力が必要なばかりでなく組み立ても困難なものとなってしまっていた。【解決手段】弾撥部材によって後方に付勢されたリフィルが装着された出没式筆記具であって、前記弾撥部材に縮径部を形成し、その縮径部をリフィルに嵌合させた出没式筆記具。【選択図】    図４【特許請求の範囲】
【請求項１】
弾撥部材によって後方に付勢されたリフィルが装着された出没式筆記具であって、前記弾撥部材に縮径部を形成し、その縮径部をリフィルに嵌合させたことを特徴とする出没式筆記具。
【請求項２】
前記縮径部以外の部分をリフィルの外径よりも大径としたことを特徴とする請求項１記載の出没式筆記具。
【請求項３】
前記弾撥部材を円錐形状に形成すると共に、その円錐形状の弾撥部材の最縮径部を前記リフィルに嵌合させたことを特徴とする請求項１或いは、請求項２に記載の出没式筆記具。
【発明の詳細な説明】
【０００１】
【発明の属する技術分野】
本発明は、弾撥部材によって後方に付勢されたリフィルが装着された出没式筆記具に関する。
【０００２】
【従来の技術】
従来、先端にペン先を有するリフィルを軸内部に摺動可能に設置し、このリフィルを軸内部に設けたコイルスプリングによって後方に付勢するようなし、リフィルと連動する出没操作部材を外装体より突出させ、この出没操作部材を操作することにより前記ペン先を外装体先端の開口部より出没させてなる出没式筆記具において、前記リフィルに、前記コイルスプリングの内径より、わずかに大径の乗り上げ係止部を設け、その係止部にコイルスプリングを嵌合させ、その嵌合によってコイルスプリングをリフィルに固定した出没式筆記具が知られている（特開平７−３１４９８０号公報参照）。
【０００３】
【特許文献１】
特開平７−３１４９８０号公報（第１図〜第３図、特許請求の範囲）。
【０００４】
【発明が解決しようとする課題】
前記従来技術にあっては、製品の組み立て時において、コイルスプリングとリフィルが分離せず容易に組み立てられ、又、リフィルの交換時においてもコイルスプリングの紛失が防止されると言う効果を奏している。コイルスプリングをリフィルに嵌合・固定しているためである。
しかし、弾撥力受承部を形成する以外に、乗り上げ係止部も形成しているため、その形成のための工程が増え、又、その係止部にコイルスプリングを押し広げながら係止させるため、力が必要なばかりでなく組み立ても困難なものとなってしまっていた。
【０００５】
【課題を解決するための手段】
本発明は、弾撥部材によって後方に付勢されたリフィルが装着された出没式筆記具であって、前記弾撥部材に縮径部を形成し、その縮径部をリフィルに嵌合させたことを要旨とする。
【０００６】
【実施例】
添付図面に基づき実施例を説明する。軸筒１の後部には、カム筒２並びに、そのカム筒２内を上下動・回転する回転子３、その回転子３を作動させる摺動子４などからなる、デビットカム機構と称されるカム機構が配置されている。そして、その摺動子４の頂部にはノック部材５が、前記軸筒１の後端部から突出した状態で取り付けられている。符号６は、軸筒１に一体形成されたクリップであるが、別部材で構成し軸筒１に固着しても良い。
又、前記軸筒１の前方部分にはグリップ部材７が前後動可能に配置されている。そのグリップ部材７は、軸筒１の外周面に形成された雄ネジ１ａとグリップ部材７の内面に部分的に形成された雌ネジ７ａとの螺合によって前後動が可能なものとなっている。使用者は、グリップ部材７の位置を好みに応じて変化させることができるのである。
更に前記軸筒１の前端には、先部材８が螺合によって着脱自在に取り付けられており、その先部材８から軸筒１内に配置されたリフィル９が出没する様になっている。そのリフィル９の後端は、前記摺動子３の前端面に当接しており、一方、リフィル９の先端にはボールペンチップ１０が固着されている。
【０００７】
又、リフィル９の前方部分は、プレス加工などによって成形された受承部１１が形成されており、その受承部１１と軸筒１との間には、コイルスプリングなどの弾撥部材１２が張設されている。即ち、リフィル９は、弾撥部材１２によって軸筒１に対して後方に付勢されているのである。
その弾撥部材１２の後部には、１巻き以上の座巻き部１３が形成されているが、その座巻き部１３の内径はリフィル９の外径よりも小径な縮径部１４となっている。即ち、座巻き部１３はリフィル９に嵌合しているのである。ここで、その縮径部１４以外の部分を、リフィル９の外径とほぼ同様な内径としても良いが、リフィル９外面の弾撥部材１２内面に対する擦れを考慮すると、弾撥部材１２の内径を若干大きく設定するのが好ましい。若干大径に形成する手段としては、前記縮径部１４から前端にかけてほぼ同様な内径で形成しても良いが（図２参照）、弾撥部材１２の前端にかけて徐々に拡開するよう円錐形状に形成しても良い（図３参照）。
【０００８】
この様に、ボールペンチップ１０側における弾撥部材１２の内径をリフィル９の外径よりも大径とすることによって、リフィル９と弾撥部材１２の摺動性を良好なものとすることができ、又、リフィル９とチップ１０との連結部に形成される段部１５との接触も回避することができ、出没操作を良好なものとすることができる。つまり、リフィル９を先部材８から突出させようと、突出操作を行うと、リフィル９が前進するとともに弾撥部材１２が圧縮される。この時、弾撥部材１２は直線状に圧縮されるのではなく、往々にして若干曲がった状態で圧縮されてしまう。その結果、弾撥部材１２の内径はリフィル９の表面に強く押し付けられたり、ややもすると、前記連結部である段部１５に弾撥部材１２が接触してしまい、突出動作ばかりでなく、没入動作にも支障を来してしまうのである。この様な問題を避けるために、チップ１０側における弾撥部材１２の内径を大径としているのである。即ち、弾撥部材１２が多少曲がってしまっても、リフィル９の表面に対する接触力を弱くし、又、極力前記段部１５に接触しないようにしているのである。
尚、弾撥部材１２の前端部は、軸筒１の段部８ａに対して当接・載置されているが、若干圧入状態で係止させても良い。しかし、座巻き部１３のリフィル９に対する嵌合力よりも小さく設定するのが好ましい。リフィルを交換する際、弾撥部材が先部材側に取り残され、組み立てが若干ではあるが面倒になってしまうためである。
【０００９】
次ぎに、組み立て方法について説明する。リフィル９を弾撥部材１２の縮径部１３の側から差し込む。この時、縮径部１３がリフィル９の受承部１１に達するまで差し込んでも良いが、中間部までであっても良い。この時、弾撥部材１２は、縮径部１４によってリフィル９に嵌合・固定されている。よって、リフィル９を下向きにしても、弾撥部材１２は脱落することがない。ここで、弾撥部材１２が嵌合されたリフィル９を軸筒１に挿着し、先部材８を螺着する。この螺着の際、弾撥部材１２は一時的に圧縮されるが、自らの弾撥力により復元・伸張しようとし、縮径部１４がリフィル９の表面を摺動し、やがて受承部１１に達する。
【００１０】
【発明の効果】
本発明は、弾撥部材によって後方に付勢されたリフィルが装着された出没式筆記具であって、前記弾撥部材に縮径部を形成し、その縮径部をリフィルに嵌合させたので、製造工程、並びに、組み立て性を簡単なものとすることができる。
【図面の簡単な説明】
【図１】１例を示す縦断面図。
【図２】図１の要部外観拡大図。
【図３】変型例を示す、図２相当図。
【符号の説明】
１    軸筒
２    カム筒
３    回転子
４    摺動子
５    ノック部材
６    クリップ
７    グリップ部材
８    先部材
９    リフィル
１０    ボールペンチップ
１１    受承部
１２    弾撥部材
１３    座巻き部
１４    縮径部
１５    段部
【図１】
2004249666.tif 000002
【図２】
2004249666.tif 000003
【図３】
2004249666.tif 000004